(57)【要約】【課題】風呂の残り湯を洗濯機での洗濯に利用するシステムにおいて、残り湯の流路となる配管の洗浄を容易ならしめる配管構造を提供する。【解決手段】浴槽７１と給湯器７３とを結ぶ循環流路の一部を利用して浴槽７１内の残り湯を洗濯機７２に送るための配管構造に関し、主管部と第１の枝管部と第２の枝管部とからなるＹ型分岐管２０と、Ｙ型分岐管２０の第２の枝管部と洗濯機７２とを結ぶ第１配管路１１と、Ｙ型分岐管２０を介することなく浴槽７１と給湯器７３とを結ぶ第２配管路１２と、Ｙ型分岐管２０の第１の枝管部と給湯器７３とを結ぶ第３配管路１３と、Ｙ型分岐管２０の主管部と浴槽７１とを結ぶ第４配管路１４とが設けられる。第１配管路１１は、残り湯が直線状に流れる直線部と残り湯の流れる方向が変化する曲がり部とからなり、曲がり部は、屈曲することなくアール状に形成される。【選択図】図１
2017160594.tif 000002
【特許請求の範囲】
【請求項１】
浴槽と給湯器とを結ぶ循環流路の一部を利用して前記浴槽内の残り湯を洗濯機に送るための配管構造であって、
主管部と第１の枝管部と第２の枝管部とからなるＹ型分岐管と、
前記Ｙ型分岐管の第２の枝管部と前記洗濯機とを結ぶ第１配管路と、
前記Ｙ型分岐管を介することなく前記浴槽と前記給湯器とを結ぶ第２配管路と、
前記Ｙ型分岐管の第１の枝管部と前記給湯器とを結ぶ第３配管路と、
前記Ｙ型分岐管の主管部と前記浴槽とを結ぶ第４配管路と
を備え、
前記第１配管路は、残り湯が直線状に流れる直線部と残り湯の流れる方向が変化する曲がり部とからなり、
前記曲がり部は、屈曲することなくアール状に形成されていることを特徴とする、配管構造。
【請求項２】
前記第１配管路は、樹脂管によって構成されていることを特徴とする、請求項１に記載の配管構造。
【請求項３】
前記Ｙ型分岐管に関し、前記主管部と前記第２の枝管部とがなす角度が鈍角であることを特徴とする、請求項１または２に記載の配管構造。
【請求項４】
前記Ｙ型分岐管に関し、前記主管部と前記第２の枝管部とがなす角度が１２０度以上であることを特徴とする、請求項３に記載の配管構造。
【請求項５】
前記第１配管路は、前記Ｙ型分岐管側の配管と前記洗濯機側の配管とを接続する接続部を有し、
前記洗濯機側の配管が前記接続部から取り外し可能に構成されていることを特徴とする、請求項１から４までのいずれか１項に記載の配管構造。
【請求項６】
前記循環流路は、前記給湯器から前記浴槽に湯を送るための往路と前記浴槽から前記給湯器に湯を送るための復路とからなり、
前記往路は、前記第２配管路によって構成され、
前記復路は、前記第４配管路と前記Ｙ型分岐管と前記第３配管路とによって構成されていることを特徴とする、請求項１から５までのいずれか１項に記載の配管構造。
【請求項７】
浴槽と給湯器とを結ぶ循環流路の一部を利用して前記浴槽内の残り湯を洗濯機に送るための配管構造であって、
前記浴槽に直接に接続された主管部と、第１の枝管部と、第２の枝管部とからなるＹ型分岐管と、
前記Ｙ型分岐管の第２の枝管部と前記洗濯機とを結ぶ第１配管路と、
前記Ｙ型分岐管を介することなく前記浴槽と前記給湯器とを結ぶ第２配管路と、
前記Ｙ型分岐管の第１の枝管部と前記給湯器とを結ぶ第３配管路と
を備え、
前記第１配管路は、残り湯が直線状に流れる直線部と残り湯の流れる方向が変化する曲がり部とからなり、
前記曲がり部は、アール状に形成されていることを特徴とする、配管構造。
【発明の詳細な説明】
【技術分野】
【０００１】
本発明は、浴槽から洗濯機に浴槽内の残り湯を送るための配管構造に関する。
【背景技術】
【０００２】
浴槽内の残り湯を洗濯用に再利用する手法として、洗濯機に取り付けられた給水ポンプ付きのホースを使用する手法が従来より知られている。しかしながら、この手法によれば、洗濯の都度、人手による作業（例えば、ホースのセット・収容やホース内の水切りの作業）が必要となる。そこで、作業者の作業負担を軽減すべく、浴槽から洗濯機に残り湯を供給するための配管を設けるという構成が提案されている。
【０００３】
例えば、特開２００１−１６９９４６号公報には、図２０に示すように、浴槽８１−給湯器８３間の配管（往路管８４および復路管８５）のうちの復路管８５の流路途中に分岐管８６を取り付けて当該分岐管８６と洗濯機８２とを結ぶ残り湯送水用の送水管８７を設けるという配管構造が開示されている。このような配管構造により、浴槽８１内の残り湯は、復路管８５の一部、分岐管８６、および残り湯送水用の送水管８７を経由して、浴槽８１から洗濯機８２へと供給される。
【０００４】
また、特開２００４−１９７２９９号公報には、図２１に示すように、浴槽９１−給湯器９３間の配管（往路管９４および復路管９５）のうちの往路管９４を２本の配管（吸引往路配管９４ａおよび戻り往路配管９４ｂ）で構成した配管構造が開示されている。この配管構造においては、吸引往路配管９４ａは浴槽９１と洗濯室壁９８に設けられた給水口９６とに接続され、戻り往路配管９４ｂは給水口９６と給湯器９３とに接続される。そして、給水口９６と洗濯機９２とが給水ホース９７によって接続される。このような配管構造により、浴槽９１内の残り湯は、吸引往路配管９４ａ、給水口９６、および給水ホース９７を経由して、浴槽９１から洗濯機９２へと供給される。
【先行技術文献】
【特許文献】
【０００５】
【特許文献１】特開２００１−１６９９４６号公報
【特許文献２】特開２００４−１９７２９９号公報
【発明の概要】
【発明が解決しようとする課題】
【０００６】
ところで、浴槽内の残り湯を洗濯用に再利用することに関し、洗濯にはできるだけきれいな湯を使用したいという強い要求がある。従って、上述したような配管構造に関し、配管の内部を洗浄したいというユーザーの要求がある。ところが、図２０に示した配管構造によれば、分岐管８６として図２２に示すようなＴ型管（Ｔ字型の継手）が使用されている。また、図２０および図２１に示した配管構造によれば、浴槽と洗濯機とを結ぶ流路は随所で直角に曲がっている（屈曲している）。このため、洗浄用ブラシ６で流路を洗浄しようとしても、例えば図２３や図２４に示すように流路の途中で洗浄用ブラシ６がつっかえてしまい、屈曲点よりも先の部分を洗浄することができない。
【０００７】
そこで本発明は、風呂の残り湯を洗濯機での洗濯に利用するシステムにおいて、残り湯の流路となる配管の洗浄を容易ならしめる配管構造を提供することを目的とする。
【課題を解決するための手段】
【０００８】
第１の発明は、浴槽と給湯器とを結ぶ循環流路の一部を利用して前記浴槽内の残り湯を洗濯機に送るための配管構造であって、
主管部と第１の枝管部と第２の枝管部とからなるＹ型分岐管と、
前記Ｙ型分岐管の第２の枝管部と前記洗濯機とを結ぶ第１配管路と、
前記Ｙ型分岐管を介することなく前記浴槽と前記給湯器とを結ぶ第２配管路と、
前記Ｙ型分岐管の第１の枝管部と前記給湯器とを結ぶ第３配管路と、
前記Ｙ型分岐管の主管部と前記浴槽とを結ぶ第４配管路と
を備え、
前記第１配管路は、残り湯が直線状に流れる直線部と残り湯の流れる方向が変化する曲がり部とからなり、
前記曲がり部は、屈曲することなくアール状に形成されていることを特徴とする。
【０００９】
第２の発明は、第１の発明において、
前記第１配管路は、樹脂管によって構成されていることを特徴とする。
【００１０】
第３の発明は、第１または第２の発明において、
前記Ｙ型分岐管に関し、前記主管部と前記第２の枝管部とがなす角度が鈍角であることを特徴とする。
【００１１】
第４の発明は、第３の発明において、
前記Ｙ型分岐管に関し、前記主管部と前記第２の枝管部とがなす角度が１２０度以上であることを特徴とする。
【００１２】
第５の発明は、第１から第４までのいずれかの発明において、
前記第１配管路は、前記Ｙ型分岐管側の配管と前記洗濯機側の配管とを接続する接続部を有し、
前記洗濯機側の配管が前記接続部から取り外し可能に構成されていることを特徴とする。
【００１３】
第６の発明は、第１から第５までのいずれかの発明において、
前記循環流路は、前記給湯器から前記浴槽に湯を送るための往路と前記浴槽から前記給湯器に湯を送るための復路とからなり、
前記往路は、前記第２配管路によって構成され、
前記復路は、前記第４配管路と前記Ｙ型分岐管と前記第３配管路とによって構成されていることを特徴とする。
【００１４】
第７の発明は、浴槽と給湯器とを結ぶ循環流路の一部を利用して前記浴槽内の残り湯を洗濯機に送るための配管構造であって、
前記浴槽に直接に接続された主管部と、第１の枝管部と、第２の枝管部とからなるＹ型分岐管と、
前記Ｙ型分岐管の第２の枝管部と前記洗濯機とを結ぶ第１配管路と、
前記Ｙ型分岐管を介することなく前記浴槽と前記給湯器とを結ぶ第２配管路と、
前記Ｙ型分岐管の第１の枝管部と前記給湯器とを結ぶ第３配管路と
を備え、
前記第１配管路は、残り湯が直線状に流れる直線部と残り湯の流れる方向が変化する曲がり部とからなり、
前記曲がり部は、アール状に形成されていることを特徴とする。
【発明の効果】
【００１５】
上記第１の発明によれば、浴槽−給湯器間の循環流路を流れる残り湯を洗濯機に流すための分岐管として、主管部と第１の枝管部と第２の枝管部とからなるＹ型分岐管が設けられている。そして、そのＹ型分岐管に関し、主管部は第４配管路を介して浴槽に接続され、第２の枝管部は第１配管路を介して洗濯機に接続されている。このため、浴槽−洗濯機間の流路上のＹ型分岐管の部分において、第２の枝管部側（第１配管路側）から主管部側（第４配管路側）に洗浄用ブラシを滑らかに進めることができる。また、第１配管路のうち残り湯の流れる方向が変化する曲がり部は、屈曲することなくアール状に形成されている。このため、第１配管路上の曲がり部において、洗浄用ブラシを滑らかに進めることができる。以上より、洗浄用ブラシを用いて浴槽−洗濯機間の流路（残り湯の流路）の全体を容易に充分に洗浄することが可能となる。
【００１６】
上記第２の発明によれば、アール状の曲がり部を容易に形成することができる。
【００１７】
上記第３の発明によれば、上記第１の発明の効果を確実に奏することができる。
【００１８】
上記第４の発明によれば、浴槽−洗濯機間の流路上のＹ型分岐管の部分において、第２の枝管部側（第１配管路側）から主管部側（第４配管路側）に洗浄用ブラシをより滑らかに進めることが可能となる。
【００１９】
上記第５の発明によれば、洗浄用ブラシを接続部から第１配管路の内部に挿入することが可能となる。
【００２０】
上記第６の発明によれば、上記第１の発明と同様の効果が得られる。
【００２１】
上記第７の発明によれば、上記第１の発明と同様、洗浄用ブラシを用いて浴槽−洗濯機間の流路（残り湯の流路）の全体を容易に充分に洗浄することが可能となる。
【図面の簡単な説明】
【００２２】
【図１】本発明の一実施形態に係る配管構造（浴槽と給湯器とを結ぶ循環流路の一部を利用して浴槽内の残り湯を洗濯機に送るための配管構造）を示す模式図である。
【図２】浴槽と給湯器とを結ぶ循環流路について説明するための図である。
【図３】上記実施形態において、洗濯機の近傍の構造について説明するための図である。
【図４】上記実施形態において、接続部における配管の取り外しについて説明するための図である。
【図５】上記実施形態において、Ｙ型分岐管の構成について説明するための図である。
【図６】上記実施形態において、Ｙ型分岐管の一例を示す斜視図である。
【図７】上記実施形態において、Ｙ型分岐管の別の例を示す斜視図である。
【図８】上記実施形態において、Ｙ型分岐管の近傍の配管構造を示す平面図である。
【図９】上記実施形態において、第１配管路について説明するための図である。
【図１０】従来技術における曲がり部を示す図である。
【図１１】上記実施形態における曲がり部の一例を示す図である。
【図１２】上記実施形態において、Ｙ型分岐管の主管部と第２の枝管部とがなす角度について説明するための図である。
【図１３】上記実施形態において、Ｙ型分岐管の主管部と第２の枝管部とがなす角度について説明するための図である。
【図１４】配管の洗浄に用いられる洗浄用ブラシの一例を示す図である。
【図１５】本実施形態における効果について説明するための図である。
【図１６】本実施形態における効果について説明するための図である。
【図１７】本実施形態における効果について説明するための図である。
【図１８】上記実施形態の変形例に係る配管構造（浴槽と給湯器とを結ぶ循環流路の一部を利用して浴槽内の残り湯を洗濯機に送るための配管構造）を示す模式図である。
【図１９】上記変形例において、循環金具近傍の構造について説明するための図である。
【図２０】特開２００１−１６９９４６号公報に開示されている配管構造を示す図である。
【図２１】特開２００４−１９７２９９号公報に開示されている配管構造を示す図である。
【図２２】従来技術において分岐管として用いられているＴ型管の一例を示す斜視図である。
【図２３】従来技術について説明するための図である。
【図２４】従来技術について説明するための図である。
【発明を実施するための形態】
【００２３】
以下、添付図面を参照しつつ本発明の一実施形態について説明する。
【００２４】
＜１．配管構造の概略＞
図１は、本発明の一実施形態に係る配管構造（浴槽７１と給湯器７３とを結ぶ循環流路の一部を利用して浴槽内の残り湯を洗濯機７２に送るための配管構造）を示す模式図である。なお、本実施形態においては、浴槽７１が設置された浴室を基準とすると、図１に示すように、壁４１の向こう側に給湯器７３が設置され、壁４２の向こう側に洗濯機７２が設置されている。但し、浴槽７１と洗濯機７２と給湯器７３との位置関係については、特に限定されない。
【００２５】
図１に示すように、本実施形態における配管構造は、Ｙ型分岐管（Ｙ字型の継手）２０と、Ｙ型分岐管２０と洗濯機７２とを結ぶ配管路（以下、「第１配管路」という。）１１と、Ｙ型分岐管２０を介することなく浴槽７１と給湯器７３とを結ぶ配管路（以下、「第２配管路」という。）１２と、Ｙ型分岐管２０と給湯器７３とを結ぶ配管路（以下、「第３配管路」という。）１３と、Ｙ型分岐管２０と浴槽７１とを結ぶ配管路（以下、「第４配管路」という。）１４とによって構成されている。なお、第２配管路１２の一端および第４配管路１４の一端は、浴槽７１に設けられた循環金具７１２に接続されている。
【００２６】
ところで、一般に、浴槽７１と給湯器７３とを結ぶ循環流路は図２に示すように往路７８と復路７９とによって構成される。往路７８は給湯器７３から浴槽７１に湯を送るための流路であり、復路７９は浴槽７１から給湯器７３に湯を送るための流路である。本実施形態においては、復路７９にＹ型分岐管２０が設けられている。すなわち、本実施形態においては、往路７８は第２配管路１２によって構成され、復路７９は第４配管路１４とＹ型分岐管２０と第３配管路１３とによって構成されている。但し、本発明はこれに限定されず、往路７８にＹ型分岐管２０を設ける構造を採用することもできる。
【００２７】
＜２．洗濯機近傍の構造＞
図３は、本実施形態において、洗濯機７２の近傍の構造について説明するための図である。洗濯室では、第１配管路１１は、壁４２から伸びる配管１１ａと洗濯機７２から伸びる配管１１ｂとに分けられる。それら配管１１ａと配管１１ｂとを接続するための接続部３０が、例えば洗濯室内の壁面（不図示）に取り付けられている。そして、図４に示すように、配管１１ｂが接続部３０から取り外し可能に構成されている。なお、配管１１ａについては、壁の内部を通る構造（すなわち、外部から配管１１ａを視認することができない構造）を採用することもできる。
【００２８】
＜３．Ｙ型分岐管について＞
図５は、Ｙ型分岐管２０の構成について説明するための図である。図５に示すように、Ｙ型分岐管２０は、主管部２００と第１の枝管部２１０と第２の枝管部２２０とによって構成されている。このような構成により、主管部２００に流入された湯は、第１の枝管部２１０側の流路と第２の枝管部２２０側の流路とに分流される。本実施形態におけるＹ型分岐管２０については、主管部２００は第４配管路１４に接続され、第１の枝管部２１０は第３配管路１３に接続され、第２の枝管部２２０は第１配管路１１に接続されている。以上より、第１配管路１１は、Ｙ型分岐管２０の第２の枝管部２２０と洗濯機７２とを結び、第２配管路１２は、Ｙ型分岐管２０を介することなく浴槽７１と給湯器７３とを結び、第３配管路１３は、Ｙ型分岐管２０の第１の枝管部２１０と給湯器７３とを結び、第４配管路１４は、Ｙ型分岐管２０の主管部２００と浴槽７１とを結んでいる。
【００２９】
Ｙ型分岐管２０については、図６に示す形状のものや図７に示す形状のものを採用することができる。図６に示すＹ型分岐管２０については、主管部２００と第１の枝管部２１０とがなす角度が１８０度になっており、主管部２００と第２の枝管部２２０とがなす角度が鈍角になっている。図７に示すＹ型分岐管２０については、主管部２００と第１の枝管部２１０とがなす角度および主管部２００と第２の枝管部２２０とがなす角度の双方が鈍角になっている。
【００３０】
＜４．流路の構造＞
図８は、本実施形態において、Ｙ型分岐管２０の近傍の配管構造を示す平面図である。第１配管路１１はＹ型分岐管２０の第２の枝管部２２０に接続されているところ、第２の枝管部２２０から洗濯室の方向に伸びるように第１配管路１１が配設されている。第１配管路１１は、図８で符号１１９で示す部分のようにアール状（円弧を有する形状）の流路を形成することができるよう、例えば樹脂管によって構成されている。但し、本発明は、これに限定されず、樹脂管以外の管によって第１配管路１１が構成されていても良い。第２配管路１２、第３配管路１３、および第４配管路１４についても例えば樹脂管によって構成されるが、これらについても樹脂管以外の管によって構成されていても良い。また、浴室内において、第１配管路１１は典型的には床下に配設されている。
【００３１】
図９は、本実施形態における第１配管路１１について説明するための図である。流路の形状に着目すると、第１配管路１１は、図９に示すように、残り湯が直線状に流れる直線部Ｓ１〜Ｓ５と残り湯の流れる方向が変化する曲がり部Ｒ１〜Ｒ４とからなる。曲がり部Ｒ１〜Ｒ４は、屈曲することなく、アール状に形成されている。
【００３２】
ところで、従来技術においては、分岐管−洗濯機間の流路のうちの曲がり部は図１０に示すように直角になっていた（図２０も参照）。これに対して、本実施形態においては、残り湯が流れる方向を９０度変化させようとする場合、図１１に示すように、アール状に曲がり部が形成される。
【００３３】
図１２は、本実施形態において、Ｙ型分岐管２０の主管部２００と第２の枝管部２２０とがなす角度Ｋ１について説明するための図である。図１２に示すように、主管部２００と第２の枝管部２２０とがなす角度Ｋ１は鈍角（９０度よりも大きく１８０度よりも小さい角度）になっている。なお、後述するように第２の枝管部２２０側（第１配管路１１側）から主管部２００側（第４配管路１４側）に洗浄用ブラシが滑らかに進むよう、主管部２００と第２の枝管部２２０とがなす角度Ｋ１は１２０度以上であることが好ましい。但し、本発明は、上記角度Ｋ１が１２０度未満のものを排除するものではない。
【００３４】
なお、図７に示した形状のＹ型分岐管２０が採用される場合にも、図１３に示すように、主管部２００と第２の枝管部２２０とがなす角度Ｋ２は鈍角となる。
【００３５】
＜５．効果＞
次に、本実施形態における効果について説明する。なお、配管の洗浄には、図１４に示すようなワイヤ部６１とナイロン等のブラシ部６２と取っ手部６３とからなる洗浄用ブラシ６が使用されるものとする。本実施形態においては、浴槽７１−給湯器７３間の循環流路を流れる残り湯を洗濯機７２に流すための分岐管として、Ｙ型分岐管２０が設けられている。そして、そのＹ型分岐管２０に関し、主管部２００は第４配管路１４（浴槽７１とＹ型分岐管２０とを結ぶ配管路）に接続され、第２の枝管部２２０は第１配管路１１（洗濯機７２とＹ型分岐管２０とを結ぶ配管路）に接続されている。このため、図１５に示すように、第２の枝管部２２０側（第１配管路１１側）から主管部２００側（第４配管路１４側）に洗浄用ブラシ６を滑らかに進めることができる。また、本実施形態においては、第１配管路１１のうち残り湯の流れる方向が変化する曲がり部は、屈曲することなくアール状に形成されている。このため、図１６に示すように、曲がり部において洗浄用ブラシ６を滑らかに進めることができる。以上より、従来技術（図２３および図２４を参照）とは異なり、洗浄用ブラシ６を用いて浴槽７１−洗濯機７２間の流路（残り湯の流路）を容易に洗浄することが可能となる（図１７参照）。このように、本実施形態によれば、風呂の残り湯を洗濯機７２での洗濯に利用するシステムにおいて、残り湯の流路となる配管の洗浄を容易ならしめる配管構造が提供される。
【００３６】
また、従来技術によれば、浴槽−洗濯機間の流路を洗浄可能とするためには、浴槽−洗濯機間の距離ができるだけ短くなるように分岐管を設置する必要があった。これに対して、本実施形態によれば、浴槽７１−洗濯機７２間の流路上を滑らかに洗浄用ブラシ６を進めることができるので、浴槽７１−洗濯機７２間の距離や分岐管（Ｙ型分岐管２０）の設置位置に関わらず流路全体を充分に洗浄することが可能となる。
【００３７】
＜６．変形例＞
上記実施形態においては、Ｙ型分岐管２０は第４配管路１４を介して浴槽７１に接続されていた（より詳しくは、浴槽７１に設けられた循環金具７１２に接続されていた）。しかしながら、本発明はこれに限定されず、図１８に示すように、Ｙ型分岐管２０が直接に浴槽７１に接続される構成を採用することもできる。本変形例においては、Ｙ型分岐管２０に関し、図１９に示すように、主管部２００は浴槽７１に設けられた循環金具７１２に接続され、第１の枝管部２１０は第３配管路１３に接続され、第２の枝管部２２０は第１配管路１１に接続される。
【００３８】
以上のように、本変形例における配管構造は、Ｙ型分岐管２０と、Ｙ型分岐管２０の第２の枝管部２２０と洗濯機７２とを結ぶ第１配管路１１と、Ｙ型分岐管２０を介することなく浴槽７１と給湯器７３とを結ぶ第２配管路１２と、Ｙ型分岐管２０の第１の枝管部２１０と給湯器７３とを結ぶ第３配管路１３とによって構成されている。また、上記実施形態と同様、第１配管路１１は残り湯が直線状に流れる直線部と残り湯の流れる方向が変化する曲がり部とからなり、曲がり部は屈曲することなくアール状に形成されている。
【００３９】
本変形例においても、上記実施形態と同様、洗浄用ブラシ６を用いて浴槽７１−洗濯機７２間の流路（残り湯の流路）を容易に洗浄することが可能となる。このように、風呂の残り湯を洗濯機７２での洗濯に利用するシステムにおいて、残り湯の流路となる配管の洗浄を容易ならしめる配管構造が提供される。
【００４０】
＜７．従来技術との対比＞
最後に、本発明と従来技術との相違点、当該相違点に基づく本発明の有利な効果について説明する。図２０や図２１に示した従来の配管構造によれば、浴槽と洗濯機とを結ぶ流路は随所で直角に曲がっている（屈曲している）。このため、図２４に示すように流路の途中で洗浄用ブラシ６がつっかえてしまい、屈曲点よりも先の部分を洗浄することができない。さらに、図２０に示した従来の配管構造によれば、分岐管８６としてＴ型管が使用されている。このため、図２３に示すように流路の途中で洗浄用ブラシ６がつっかえてしまい、屈曲点よりも先の部分を洗浄することができない。このように、従来の配管構造によれば、風呂の残り湯を洗濯機での洗濯に利用するシステムにおいて、残り湯の流路となる配管を充分に洗浄することができなかった。また、浴槽−洗濯機間の流路を洗浄可能とするためには、浴槽−洗濯機間の距離ができるだけ短くなるように分岐管を設置する必要があった。
【００４１】
これに対して、本発明によれば、浴槽７１と洗濯機７２とを結ぶ流路は直線部と屈曲することなくアール状に形成された曲がり部とによって構成されており、当該流路上において直角に屈曲している部分はない。このため、浴槽７１と洗濯機７２とを結ぶ流路全体を通して、図１４に示したような洗浄用ブラシ６を滑らかに進めることができる。従って、従来の配管構造とは異なり、浴槽７１−洗濯機７２間の距離や分岐管（Ｙ型分岐管２０）の設置位置に関わらず、洗浄用ブラシ６を用いて浴槽７１−洗濯機７２間の流路（残り湯の流路）の全体を容易に充分に洗浄することが可能となる。
【符号の説明】
【００４２】
６…洗浄用ブラシ
１１，１２，１３，１４…第１配管路，第２配管路，第３配管路，第４配管路
２０…Ｙ型分岐管
３０…接続部
７１…浴槽（風呂）
７２…洗濯機
７３…給湯器
７８…往路
７９…復路
２００…主管部
２１０…第１の枝管部
２２０…第２の枝管部
７１２…循環金具
Ｓ１〜Ｓ５…直線部
Ｒ１〜Ｒ４…曲がり部
【図１】
2017160594.tif 000003
【図２】
2017160594.tif 000004
【図３】
2017160594.tif 000005
【図４】
2017160594.tif 000006
【図５】
2017160594.tif 000007
【図６】
2017160594.tif 000008
【図７】
2017160594.tif 000009
【図８】
2017160594.tif 000010
【図９】
2017160594.tif 000011
【図１０】
2017160594.tif 000012
【図１１】
2017160594.tif 000013
【図１２】
2017160594.tif 000014
【図１３】
2017160594.tif 000015
【図１４】
2017160594.tif 000016
【図１５】
2017160594.tif 000017
【図１６】
2017160594.tif 000018
【図１７】
2017160594.tif 000019
【図１８】
2017160594.tif 000020
【図１９】
2017160594.tif 000021
【図２０】
2017160594.tif 000022
【図２１】
2017160594.tif 000023
【図２２】
2017160594.tif 000024
【図２３】
2017160594.tif 000025
【図２４】
2017160594.tif 000026